(57)【要約】      （修正有）【課題】かばん・ケース類の蓋体に取付けた差込み部材をワンタッチでかばん・ケース類の筐体の錠前本体に差し込んで施錠することができ、錠前金具の施錠保持性、気密性を損なうことにない錠前金具を提供する。【解決手段】かばん・ケース類の筐体に取り付けられる錠前本体と、筐体に対応する蓋体に取り付けられる錠前本体の嵌合部に差し込まれるさがり１００とを有する錠前金具で構成され、錠前本体は施錠カム１２と取付け基台とを有し、施錠カムはさがりの進退を受け入れる凹状部１２ｂと施錠カムの取付け基台との係合部１２ｄと、取付け基台の施錠カムとの係止部を有し、さがりの進行によりさがりの係合突起部１０３が、施錠カムの凹状部と係合し施錠カムを回動させることができ、施錠カムの更なる回動に応じて、施錠カムの取付け基台との係合部１２ｄと、取付け基台の施錠カムとの係合部の係止が強められる引き寄せ機構を構成した。【選択図】図５
2017227061.tif 000002
【特許請求の範囲】
【請求項１】
かばん・ケース類の筐体に取り付けられる錠前本体と、筐体に対応する蓋体に取り付けられる錠前本体の嵌合部に差し込まれるさがりと、を有する錠前金具であって、
前記錠前本体は、施錠カムと取付け基台とを有し、当該施錠カムは、前記さがりの進退を受け入れる凹状部と軸孔と施錠カム用軸と取付け基台との係止部を有し、前記取付け基台は、施錠カムとの係止部を有し、前記さがりの進行によりさがりに設けられた係合突起部が、前記施錠カムの凹状部と係合し施錠カムを回動させることができるように構成し、施錠の際、施錠カムの回動に応じて前記した両係止部が係合し、施錠カムの更なる回動に応じて、施錠カムの取付け基台との係合部が取付け基台の施錠カムとの係合部内に向かって食い込み、前記した両係止部の係止が強められる引き寄せ機構を有することを特徴とする錠前金具。
【請求項２】
前記施錠カムには、施錠用レバーが軸支されており、施錠カム用の取付け基台との係止部と取付け基台の施錠カムとの係止部とが係合して施錠用レバーが施錠カムの施錠位置になった際、施錠カムの施錠位置における施錠用レバーと施錠カムとの係合を強める付勢力を付与する施錠用ばねを設けたことを特徴とする請求項１に記載の錠前金具。
【請求項３】
前記した施錠カムの軸孔は、楕円状の長孔となっており、前記施錠カム用軸が前記楕円状の長孔の軸孔内をさがりの進行方向とは反対方向に移動できるようになっており、楕円状の長孔の軸孔内における施錠カム用軸との隙間の間隔が、前記した取付け基台の施錠カムの係止部と施錠カムの所定の初期設定位置に軸支された際の前記係止部との間隔より大とされ、施錠カム軸が前記楕円状の長孔の軸孔内を遊嵌され、施錠カム軸がさがりの進行方向と反対方向に移動した際、施錠カムの取付け基台との係止部と、錠前本体の取付け基台の施錠カムの係止部とが係合し、かつ係合が深まり、施錠の保持力が高められるように構成したことを特徴とする請求項１または２に記載の錠前金具。
【請求項４】
錠前本体は、前記施錠カムと対応する作動カムを有し、前記さがりの進行によりさがりの係合突起部が、前記施錠カムの凹状部と係合し施錠カムが回動する際、施錠カムと協動して作動カムが回動するように構成し、一方、前記作動カムには開閉操作部が取付けられており、開閉操作部の作動により、作動カムと協動して施錠カムが回動し、施錠カムの凹状部とさがりの係止突起部との解除が、開閉操作部の左右のいずれの回転方向によってもできるように構成したことを特徴とする請求項１〜３のいずれか１項に記載の錠前金具。
【請求項５】
前記錠前本体は、施錠カムと施錠用レバーとを有し、前記施錠カムには、施錠用レバーの一端が施錠カムを左右方向に回動させるように取り付けられており、かつ施錠用レバーの他端は、錠前本体の開閉操作部と連動させるように取り付けられており、施錠カムの凹状部とさがりの係止突起部との係合の解除が、施錠用レバーとの連動により、開閉操作部の左右のいずれの横方向の移動によってもできるように構成したことを特徴とする請求項１〜３のいずれか１項に記載の錠前金具。
【請求項６】
前記錠前本体は、施錠カムと施錠用レバーとを有し、前記施錠カムには、施錠用レバーの一端が施錠カムを上方に回動させるように取り付けられており、かつ施錠用レバーの他端は、錠前本体の開閉操作部と連動させるように取り付けられており、施錠カムの凹状部とさがりの係止部との係合の解除が、施錠用レバーとの連動により、開閉操作部の下方への移動によってできるように構成したことを特徴とする請求項１〜３のいずれか１項に記載の錠前金具。
【発明の詳細な説明】
【技術分野】
【０００１】
本発明は、各種かばん類、スーツケース、トローリーバック、ブリーフケース、トランク、クーラーボックス、コンテナー、その他各種ケース類やその他各種物品を収納する筐体製品など（以下、これらを総称して本明細書において、かばん・ケース類と称する。）の蓋体及び筐体に取り付けられる自動施錠、ワンタッチ解錠ができる錠前金具に関する。
【背景技術】
【０００２】
本出願人は、かばん類の筐体に取り付けられる錠前金具として、かばん・ケース類の筐体に開閉可能に取り付けられた蓋体の施錠及び解錠をワンタッチ式で操作することができるようにした錠前金具を、先に特願２０１４−１５９８４３号（特開２０１６−３７７１３号）として提案している。本出願人は、さらに、錠前金具のかばん・ケース類への取付けの際の位置の誤差、取扱い時の衝撃、永年の使用により取付けの緩みや位置ずれや部品の磨耗等によって生じるがたつきや気密性が損なわれるという問題点を一層改善することに着目した。
【先行技術文献】
【特許文献】
【０００３】
【特許文献１】特開２０１６−３７７１３号公報
【発明の概要】
【発明が解決しようとする課題】
【０００４】
本発明は、上記した問題点を解決し、ワンタッチで自動的に施錠でき、また、錠前金具に発生するがたつきを自動的に吸収して常に気密性、保持力を保ち、また、がたつきが生じにくい錠前金具を提供するものである。
また、かばん・ケース類の蓋体を無理やり開けようとしたりするという人為的な操作や、かばん・ケース類の取扱い時の衝撃による不意の解錠に対して一層保持力を増強できる錠前金具を提供するものである。
また、ワンタッチで解錠できる錠前金具を提供するものである。
【０００５】
さらに、かばん・ケース類の蓋体に複数の錠前金具を左右に取り付けたときに発生する左右勝手の使いづらさ、そのために左右仕様の錠前金具を別々に２種類の作製しなければならならないという製品点数、工数、管理、コストアップ等という無駄をなくし、一種類の錠前金具で左右使いの双方を兼用することができる錠前金具を提供するものである。
【課題を解決するための手段】
【０００６】
本発明者は、上記した課題を解決すべく検討の結果、本発明に至ったものであり、本発明は、以下の［１］から［６］の態様を有する。
［１］かばん・ケース類の筐体に取り付けられる錠前本体と、筐体に対応する蓋体に取り付けられる錠前本体の嵌合部に差し込まれるさがりとを有する錠前金具であって、
前記錠前本体は、施錠カムと取付け基台とを有し、当該施錠カムは、前記さがりの進退を受け入れる凹状部と軸孔と施錠カム用軸と取付け基台との係止部を有し、前記取付け基台は、施錠カムとの係止部を有し、前記さがりの進行によりさがりに設けられた係合突起部が、前記施錠カムの凹状部と係合し施錠カムを回動させることができるように構成し、施錠の際、施錠カムの回動に応じて前記した両係止部が係合し、施錠カムの更なる回動に応じて、施錠カムの取付け基台との係合部が取付け基台の施錠カムとの係合部内に食い込み、前記した両係止部の係止が強められる引き寄せ機構を有することを特徴とする錠前金具。
【０００７】
［２］前記施錠カムには、施錠用レバーが軸支されており、施錠カム用の取付け基台との係止部と取付け基台の施錠カムとの係止部とが係合して施錠用レバーが施錠カムの施錠位置になった際、施錠カムの施錠位置における施錠用レバーと施錠カムとの係合を強める付勢力を付与する施錠用ばねを設けたことを特徴とする上記［１］に記載の錠前金具。
【０００８】
［３］前記した施錠カムの軸孔は、楕円状の長孔となっており、前記施錠カム用軸が前記楕円状の長孔の軸孔内をさがりの進行方向とは反対方向に移動できるようになっており、楕円状の長孔の軸孔内における施錠カム用軸との隙間の間隔が、前記した取付け基台の施錠カムの係止部と施錠カムの所定の初期設定位置に軸支された際の前記係止部との間隔より大とされ、施錠カム軸が前記楕円状の長孔の軸孔内を遊嵌され、施錠カム軸がさがりの進行方向と反対方向に移動した際、施錠カムの取付け基台との係止部と、錠前本体の取付け基台の施錠カムの係止部とが係合し、かつ係合が深まり、施錠の保持力が高められるように構成したことを特徴とする上記［１］または［２］に記載の錠前金具。
【０００９】
［４］錠前本体は、前記施錠カムと対応する作動カムを有し、前記さがりの進行によりさがりの係合突起部が、前記施錠カムの凹状部と係合し施錠カムが回動する際、施錠カムと協動して作動カムが回動するように構成し、一方、前記作動カムには開閉操作部が取付けられており、開閉操作部の作動により、作動カムと協動して施錠カムが回動し、施錠カムの凹状部とさがりの係止突起部との解除が、開閉操作部の左右のいずれの回転方向によってもできるように構成したことを特徴とする上記［１］〜［３］のいずれかに記載の錠前金具。
【００１０】
［５］前記錠前本体は、施錠カムと施錠用レバーとを有し、前記施錠カムには、施錠用レバーの一端が施錠カムを左右方向に回動させるように取り付けられており、かつ施錠用レバーの他端は、錠前本体の開閉操作部と連動させるように取り付けられており、施錠カムの凹状部とさがりの係止突起部との係合の解除が、開閉操作部の左右のいずれの横方向の移動によってもできるように構成したことを特徴とする上記［１］〜［３］のいずれかに記載の錠前金具。
【００１１】
［６］前記錠前本体は、施錠カムと施錠用レバーとを有し、前記施錠カムには、施錠用レバーの一端が施錠カムを上方に回動させるように取り付けられており、かつ施錠用レバーの他端は、錠前本体の開閉操作部と連動させるように取り付けられており、施錠カムの凹状部とさがりの係止部との係合の解除が、開閉操作部の下方への移動によってできるように構成したことを特徴とする上記［１］〜［３］のいずれかに記載の錠前金具。
【発明の効果】
【００１２】
従来のかばん・ケース類に取付けられる錠前金具においては、錠前金具の取付け位置の僅かなずれ、または使用中に発生する錠前金具の緩みにより、または取扱い中の衝撃等により蓋体のがたつきが発生し、錠前金具の施錠維持性、筐体と蓋体との施錠時の気密性、保持力を損なうことがあったが、本発明に係る錠前金具によれば、かばん・ケース類の蓋体に取付けたさがりをワンタッチでかばん・ケース類の筐体の錠前本体に差し込んで、充分な係合力、拘止力、引き寄せ力を持って確実に施錠を行なうことができる。
【００１３】
また、本発明の実施態様の錠前金具によれば、操作つまみ等の開閉操作部を左右のどちらに廻してもワンタッチで解錠操作ができ、または操作カバー等の開閉操作部を左右の横方向のどちらに移動してもワンタッチで解錠操作ができ、または操作カバー等の開閉操作部を下方に移動してもワンタッチで解錠操作ができ、使い勝手が良いという利点がある。
また、従来においては、右回転解錠用と左回転解錠用の２種類の錠前金具を別々に用意しなければならないという状況も生じ、その場合、右用と左用の２種類の錠前金具を別々に作製するという必要が生じ、製品点数の増加、コストアップの要因となっていたが、本発明の実施態様の錠前金具によれば、右回転解錠用と左回転解錠用の２種類の錠前金具を別々に作製することなく、一種類で共用できるという効果があり、製品点数の削減、コスト低減に効果的である。
【図面の簡単な説明】
【００１４】
【図１】本発明の一実施態様に係わる錠前金具の錠前本体にさがりが差し込まれる前の状態を示す概略正面図。
【図２】本発明の一実施態様に係わる錠前金具の錠前本体にさがりが差し込まれた状態を示す概略一部省略断面側面図。
【図３】本発明の一実施態様に係わる錠前金具の錠前本体にさがりが差し込まれた状態を示す概略一部省略断面正面図。
【図４】本発明の一実施態様に係わる錠前金具の構成の概略を示す分解図。
【図５】本発明の一実施態様に係わる錠前金具の引き寄せ機構の概略を説明するための一部省略概略正面図。
【図６】本発明の一実施態様に係わる錠前金具の施錠保持力強化機構の概略を説明するための一部省略概略正面図。
【図７】本発明の一実施態様に係わる錠前金具の解錠作動を説明するための一部省略概略正面図。
【図８】本発明の他の実施態様に係わる錠前金具の構成の概略を示す分解図。
【図９】図８に示した実施態様に係る錠前金具の開閉作動を説明するための一部省略概略正面図。
【図１０】本発明の他の実施態様に係わる錠前金具の構成の概略を示す分解図。
【図１１】図１０に示した実施態様に係る錠前金具の開閉作動を説明するための一部省略概略正面図。
【発明を実施するための形態】
【００１５】
以下、本発明に係る錠前金具の実施態様を、図１〜図１１の図面に基づいて具体的に説明する。図面は、本発明に係る施錠錠前の好ましい実施態様について例示したものであり、本発明は、例示の図面とその説明に限定されない。また、図面の同一機能を有する部品には、理解を容易にするため同一符号を付して説明する。
また、図示した図面は、本発明の錠前金具を説明するための概略を示したものであり、その部品のサイズ、形状は、その一例を示したものであり、適宜変更できる。
【００１６】
図１は、かばん・ケース類の蓋体Ａに取り付けられた本発明の錠前金具１のさがり（即ち、差込み部材）１００が、かばん・ケース類の筐体Ｂに取り付けられた錠前本体１０の嵌合部に差し込まれる前の状態を説明するための概略正面図であり、図２は、さがり１００が錠前本体１０の嵌合部に差し込まれた状態を示す錠前金具の概略一部省略断面側面図であり、図３は、図２に対応した錠前金具の概略一部省略断面正面図である。図２において、紙面の左側が、錠前金具が取付けられるかばん・ケース類の筐体側を示し、図３において、紙面の裏側が、錠前金具が取付けられるかばん・ケース類の筐体側を示す。
【００１７】
図１〜図３に示すように、本発明の錠前金具は、基本的な構成として、かばん・ケース類の蓋体Ａの所定位置に取付けられるさがり１００と、かばん・ケース類の筐体Ｂの所定位置に前記さがり１００と対応するように取り付けられる錠前本体１０とを有し、錠前本体１０は、筐体Ｂの所定位置に取り付けるための取付け基台１１と、取付け基台１１に内蔵される施錠カム１２と、施錠カムの作動をガイドさせ、施錠、解錠の操作の動きをリードさせ、またその作動を所定範囲で規制させるための施錠用レバー１３と、施錠用ばね１４と、ケースカバー１８と、錠前金具の解錠の操作を行なう操作つまみ、操作カバー等の開閉操作部１９とを有している。
【００１８】
取付け基台１１の内側には、施錠用レバー１３が配され、その内側には施錠カム１２が施錠カム用軸１２ａを介して配されている。施錠カム１２には、施錠カム用カバー１５がその内側に配され、当該施錠カム用カバー１５に設けられた受け入れスリット１５ａの溝内をさがりの係合突起部１０３が上下方向に円滑にスライドできるようにされている。
図２、図３において、１０３は、施錠カムの凹状部１２ｂに係合されたさがり１００の係合突起部を示している。また、１２ｂは、施錠カム１２の円周方向の一部に凹状に設けられた凹状部であり、さがりの係合突起部１０３と係合する部分である。
【００１９】
施錠用レバー１３は、施錠カム１２の側面の所定位置に設けられた施錠用レバー取付け用軸１２ｃと係合するように取り付けられており、一方、施錠用ばね１４は、取付け基台１１の内側において施錠用レバー１３と一部において係合するように取り付けられており、さがりの進行、退却による施錠カムの回動に応じた施錠用レバー１３の動きに対応し、さがりが進行（下降）して施錠位置に達した際には、施錠用レバー１３に対し付勢力を加えるようになっている。すなわち、施錠用レバー１３が、さがりの係合突起部１０３と施錠カムの凹状部１２ｂとが係合し、施錠状態となった位置において、施錠用ばね１４の付勢力によって、その位置が保持されるようになっている。
【００２０】
取付け基台１１の外側には、ケースカバー１８が配され、取付け基台１１とケースカバー１８とはビス留めされている。ケースカバー１８の外側には、操作つまみ、操作カバー等の開閉操作部１９が取付けられ、開閉操作部１９には必要に応じて開閉操作部用化粧カバーが配される。図示した例においては、開閉操作部１９は、作動カム１６と直接的に、あるいは間接部材を介して接続されており、開閉操作部１９の操作に応じて作動カム１６が回動するようにされている。
【００２１】
次に、図２、図３、および本発明の一実施態様に係る錠前金具の構成の概略を示す分解図である図４に従って説明する。
各図において、１００は、さがり、１０１は、さがり１００のさがり用化粧カバー、１０２は、さがり１００が錠前本体に差し込まれる部分の係合片、１１は、取付け基台、１２は、施錠カム、１３は、施錠用レバー、１４は、施錠用ばね、１５は、施錠カム用カバー、１６は、作動カム、１７は、作動カム用ばね、１８は、ケースカバー、１９は、開閉操作部、２０は、開閉操作部用化粧カバーを示す。
さがり１００には、施錠の際には、施錠カム１２と係合し施錠カム１２を回動させる係合突起部１０３が設けられており、当該係合突起部１０３に対応して取付け基台１１にはスリット１１ａが設けられており、さがり１００が錠前本体１０の嵌合部に差し込まれたとき、前記係合突起部１０３がスリット１１ａ内をガイドしてスライドするようになっている。
【００２２】
施錠カム１２は、施錠カム用軸１２ａを介して取付け基台１１に取り付けられている。施錠カム１２には、その円周の一部に凹状部１２ｂが設けられており、当該凹状部１２ｂとさがり１００の係合突起部１０３とが係合するようになっている。図示した例においては、さがりの係合突起部１０３が、さがりの係合片１０２の左側に設けられているため、上記した施錠カムの凹状部１２ｂは、図３、４においては紙面の左側に設けられているが、さがりの係合突起部１０３が、さがりの係合片１０２の右側に設けられている場合には、上記した施錠カムの凹状部１２ｂは、図３、４においては紙面の右側に設けられることになる。
そして、さがり１００の進行に応じて所定位置に達したとき、さがり１００の係合突起部１０３と施錠カム１２の凹状部１２ｂとが係合して施錠カム１２をＣ方向に回動し、施錠が開始されるようになっており、一方、解錠操作によって施錠カム１２は、Ｄ方向に回動し、さがり１００の退却が行われ、解錠が開始されるようになっている。
【００２３】
施錠カム１２の一方の面内（例えば、取付け基台１１と反対側の面）の所定位置には、施錠用レバー取付け用軸１２ｃが設けられており、施錠用レバー１３の一端は、前記施錠用レバー取付け用軸１２ｃに軸支され、施錠、解錠の操作の動きをリードするようになっており、また施錠カム１２の回動を規制するようになっている。
また、施錠カム用カバー１５が施錠用レバー１３を介して施錠カム１２と対応して取り付けられている。当該施錠カム用カバー１５には、受け入れスリット１５ａが設けられており、さがり１００の係合突起部１０３が当該受け入れスリット１５ａ内をガイドして上下に走行するようになっている。
このような構成の錠前金具においては、さがり１００の差込みによってさがりの係合突起部１０３と施錠カムの凹状部１２ｂとが係合し、施錠カム１２を回動させ、施錠用レバー１３と施錠カバー用ばね１４の作動によって自動的に施錠されるようになっている。この作動によって、ワンタッチでの施錠が可能となっている。
【００２４】
作動カム１６は、施錠カム１２と対応する位置関係で設けられており、かつケースカバー１８内に内蔵される位置関係で設けられている。また、作動カム１６は、ケースカバー１８の作動カム収納部１８ａ内に作動カム用ばね１７を介して取り付けられている。
ケースカバー１８には、錠前金具の解錠操作を行なうことができるように操作つまみ、操作カバー等の開閉操作部１９が取付けられており、また開閉操作部１９と作動カム１６とは作動カム１６を回動できるように取り付けられており、開閉操作部１９の操作により、作動カム１６および作動カム１６に連動するように設けられた施錠用レバー１３を介して、開閉操作部１９の動きと連動して施錠カム１２が解錠に向けて動作が行われるようになっている。
【００２５】
次に、本発明の錠前金具の施錠を確実にし、かばん・ケース類の錠前金具のがたつき等によって蓋体が開いてしまうことを防止する引き寄せ機構について図５に従って説明する。
図５（Ａ）に示すように、さがり１００が筐体Ｂに向かって進行し（すなわち、下降し）、錠前本体の嵌合部位となる位置に向かうと、さがり１００の係合片１０２に設けられた係合突起部１０３が当該係合突起部１０３に対応して設けられた施錠カム１２の凹状部１２ｂと係合し、さがりの進行（同図においては下方への移動）に応じて施錠カム１２は、矢印Ｅ方向に回転し、図５（Ｂ）に示すように、取付け基台１１の施錠カム１２との係合部１１ａと、施錠カム１２の取付け基台１１との係合部１２ｄとが係合する位置まで移動し、前記した係合部１１ａと係合部１２ｄとが係合する。
【００２６】
さらに、図５（Ｃ）に示すように、さがり１００の進行により施錠カム１２がＥ方向に回動し続けると、施錠カム１２の取付け基台１１との係合部１２ｄが、取付け基台１１の内側方向に食い込んでゆき、前記した係合部１１ａと係合部１２ｄとの係合が高められる。すなわち、施錠カムの更なる回動によって施錠カム１２の係合部１２ｄは、更に下方向に動き、係合部１１ａと係合部１２ｄとの係合が深められ、より強い抵抗力をもって保持される。
このように、施錠カム１２が取付け基台１１に対し引き寄せられ、引き寄せ効果が強められる。このとき、施錠カム１２のＥ方向への回動と連動して施錠用レバー１３は、上方向へ動くとともに、施錠用ばね１４も施錠用レバー１３の動きに追随して動き、施錠用レバー１３の上端方向の先端部に設けられた施錠用ばね用係止部１３ａの位置に達し、この部分において施錠用ばね１４の付勢力によって、施錠用レバー１３の位置が保持され、施錠状態が維持される。
【００２７】
次に、本発明の錠前金具の施錠状態の施錠保持力を強化し、かばん・ケース類の錠前金具のがたつき等によって開いてしまうことを防止する機構（施錠保持力強化機構）について図６（Ａ）、（Ｂ）に従って説明する。
本発明のこの態様における施錠カム１２においては、その軸孔１２ｅが楕円状の長孔とされている。すなわち、同図に示した様に、施錠カム１２の軸孔１２ｅは、さがり１００の係合突起部１０３の進行方向に長軸を持つ楕円形状となっており、取付け基台１１に設けられた施錠カム用軸１２ａが前記軸孔１２ｅ内を遊嵌するように、すなわち図６に示したようにＦ方向に上下移動可能となるようにされている。この施錠カム１２の楕円状の長孔の軸孔１２ｅの形状の部分図を、図６（Ａ）において矢印をもって示す。
【００２８】
さがり１００の係合突起１０３が施錠カムの凹状部１２ｂに差込まれて進行し、施錠された初期の第１の状態においては、図６（Ａ）に図示したように、取付け基台の施錠カムとの係合部１１ａと施錠カムの取付け基台との係合部１２ｄとは若干の間隔ｍをもって離れた状態であって、施錠カム用軸１２ａは、楕円形状の軸孔１２ｅの下方の円周部に当接された状態となって保持され、施錠状態に維持される。
一方、がたつきが生じて施錠状態のさがり１００が、図６（Ｂ）において上方（Ｆ方向）に変動した場合には、同図に示したように、その変動に応じて施錠カム用軸１２ａが楕円形状の長孔の軸孔１２ｅ内を移動し、楕円形状の軸孔１２ｅの上方の円周部に当接された状態となって保持され、取付け基台の施錠カムとの係合部１１ａと施錠カムの取付け基台との係合部１２ｄとは係合し、両係合部１１ａ、１２ｄとの間で抵抗力がかかった状態となる。施錠カム１２の回転軸である施錠カム用軸１２ａの楕円形状の長孔の軸孔１２ｅ内の上方への移動、および上記した抵抗力がかかった状態の取付け基台の施錠カムとの係合部１１ａと施錠カムの取付け基台との係合部１２ｄとの係合の抵抗力の増大により、取付け基台１１の施錠カムとの係合部と施錠カムの取付け基台の係合部１２ｄの保持力が強化され、施錠力が強化される。
【００２９】
好ましい態様においては、図６（Ａ）に示したように、施錠カム１２の軸孔１２ｅの長孔内における施錠カム用軸１２ａとの隙間の間隔ｎが、取付け基台の施錠カムの係止部１１ａと、施錠カムの所定の初期設定位置に軸支された際の係止部１２ｄとの間隔ｍより大とされ、施錠カム用軸１２ａが前記楕円状の長孔の軸孔１２ｅ内において遊嵌され、施錠カム用軸１２ａがさがりの進行方向と反対方向に移動した際、施錠カムの取付け基台との係合部１２ｄと、錠前本体の取付け基台の施錠カムとの係止部１１ａとが係合し、施錠の保持力が高められるようにされている。
【００３０】
施錠カムの軸孔１２ｅの長孔内における施錠カム用軸１２ａとの隙間の間隔ｎと、施錠カムの所定の初期設定位置に軸支された際の係止部１２ｄとの間隔ｍは、かばん・ケース類のサイズ、その用途、施錠金具のサイズ、がたつきの吸収範囲等によって適宜その数値範囲が設定される。たとえば、より大とされる軸孔１２ｅの長孔内における施錠カム軸との隙間の間隔ｎは、おおよそ０．２ｍｍ〜０．４ｍｍ程度が一例として挙げられ、一方、間隔ｍは、間隔ｎより小とされ、おおよそ０．１ｍｍ〜０．２ｍｍ程度が一例として挙げられる。
【００３１】
本発明の錠前金具のより好ましい実施態様においては、施錠された錠前金具を解錠するための作動をワンタッチで行なうことができる機構が設けられている。
図２〜図５に示した錠前金具の例においては、施錠カム１２を解錠に向けた方向に回動させることができるように、作動カム１６と施錠カム１２とが、施錠用レバー１３を介して取り付けられている。すなわち、操作つまみ等の開閉操作部１９を解錠方向に動かすと作動カム１６の回転に伴って施錠用レバー１３が下方向に動き、施錠用レバー１３の動きと協動して施錠カム１２が解錠方向に向かって回動するように構成されている。一方、さがり１００の進行によって施錠カム１２が回動すると、施錠カム１２の回転に伴って施錠用レバー１３が上方向に動き、施錠用レバー１３の動きと協動して施錠方向に向かって作動するように構成されている。
【００３２】
図７は、上記した例の態様の錠前金具の解錠の動作を示した図面である。
図７（Ａ）は、本発明の一実施態様に係る錠前金具の施錠状態を示す一部省略概略正面図であり、さがり１００が進行して（図においては下降して）、施錠カム１２の凹状部１２ｂとさがりの係合突起部１０３とが係合して施錠状態に達した状態を示す図面であり、施錠状態において、施錠用レバー１３の上端方向の先端部に設けられた施錠用ばね１４との係止部１３ａの位置に、施錠用ばね１４の施錠用レバーとの当接部１４ａが達し、この部分において施錠用ばね１４の付勢力によって、施錠用レバー１３の位置が保持され、施錠状態が維持されている。
【００３３】
この施錠状態から解錠するために、操作つまみである開閉操作部１９を図７（Ｂ）の様にＨ方向（すなわち右回り方向）に回すと、開閉操作部の回す方向に応じて作動カム１６が右方向に回動し、作動カム１６の回動と連動して施錠用レバー１３が下方に移動し、この動きに応じて施錠カム１２がＨ方向と反対方向に回動し、施錠カムの凹状部１２ｂが上方に位置するようになり、さがりの係合突起部１０３と施錠カムの凹状部１２ｂとの係合が外れ、解錠状態となる。
【００３４】
一方、操作つまみである開閉操作部１９を図７（Ｃ）の様にＩ方向（すなわち左回り方向）に回すと、開閉操作部１９の回す方向に応じて作動カム１６が左方向に回動し、作動カム１６の回動と連動して施錠用レバー１３が下方に移動し、この動きに応じて施錠カム１２がＩ方向と反対方向に回動し、施錠カムの凹状部１２ｂが上方に位置するようになり、さがりの係合突起部１０３と施錠カムの凹状部１２ｂとの係合が外れ、解錠状態となる。
この様に、この実施態様の錠前金具によれば、開閉操作部１９（施錠つまみ）を右方向に廻しても、左方向に廻しても、どちらの方向に廻しても同様に解錠を行なうことができ、一種類で左右共用できる。すなわち、右用、左用の２種類の商品を作る必要がなくなる。
【００３５】
次に、操作カバーを左右の横方向のどちらに押しても解錠できるようにした本発明の一の実施態様（横引き態様という）、および操作カバーを縦方向に押して解錠できるようにした本発明の他の実施態様（縦引き態様という）について説明する。
これら実施態様に係る錠前金具の概略の構成を図８および図１０に示した分解図に従って説明する。
【００３６】
図８および図１０は、図４と一部同様であり、図８および図１０において、１００は、さがり、１０１は、さがり１００のさがり用化粧カバー、１０２は、さがり１００が錠前本体に差し込まれる部分の係合片、１０３は、施錠の際に、施錠カム１２と係合し施錠カム１２を回動させる係合突起部、１１は、取付け基台、１１ａは、係合突起部１０３がガイドされてスライドするように取付け基台１１に設けられたスリット、１２は、施錠カム、１３は、施錠用レバー、１４は、施錠用ばね、１５は、施錠カム用カバー、１９は、開閉操作部を示す。
【００３７】
次に、操作カバーを左右の横方向のどちらに押しても解錠できるようにした本発明の一実施態様（横引き態様）の解錠動作について図９に従って説明する。
図９において、２１は、施錠用レバーであり、その略中央部においてケースカバー１８に設けられた施錠用レバー用軸２２により軸支され、当該軸２２が支点となって施錠用レバー２１が、図９（Ａ）に示した様に、Ｊ方向に回動されるようになっている。また、施錠用レバー２１の上端部は、施錠カム１２の施錠用取付け用軸１２ｃに軸支され、施錠用レバー２１の動きに応じて施錠カム１２を回動できるようになっている。また、開閉操作部１９である操作カバーは、ケースカバー１８に対し左右方向にスライドできるように、ケースカバー１８内に取り付けられている。
同図において、２３は、ケースカバー１８に設けられた第１のボス（突起部）であり、施錠用レバー２１の下方部分と当接し、施錠用レバー２１の動きを規制するように設けられており、２４は、ケースカバー１８に設けられた第２のボス（突起部）であり、施錠用レバー２１の上方部分と当接し、施錠用レバー２１の動きを規制するように設けられている。
【００３８】
図９（Ａ）は、この実施態様の錠前金具の施錠状態を示す一部省略概略正面図であり、さがり１００が進行して（図においては下降して）、施錠カム１２の凹状部１２ｂとさがりの係合突起部１０３が係合し、施錠用レバー２１および施錠用ばね１４によって両者の係合が維持されている施錠状態を示す図面である。
この施錠状態において、操作カバーである開閉操作部１９を図９（Ｂ）の様に、Ｋ方向（すなわち左方向）の横方向に動かすと、開閉操作部１９の移動に伴って第２のボス２４が施錠用レバー２１をＫ方向に押して、施錠用レバー２１が第２のボス２４を支点として左方向に傾動し、施錠用レバー２１の傾動方向に応じて施錠カム１２が右上方向に回動し、施錠カム１２の凹状部１２ｂが上方に位置するようになり、さがりの係合突起部１０３と施錠カムの凹状部１２ｂとの係合が外れ、解錠状態となる。
【００３９】
一方、図９（Ｃ）の様に、操作カバーである開閉操作部１９をＬ方向（すなわち右方向）の横方向に動かすと、開閉操作部１９の移動に伴って第１のボス２３が施錠用レバー２１をＬ方向と反対方向に押して施錠用レバー２１が第１のボス２３を支点として左方向に傾動し、施錠用レバー２１の傾動方向に応じて施錠カム１２が右上方向に回動し、施錠カム１２の凹状部１２ｂが上方に位置するようになり、さがりの係合突起部１０３と施錠カムの凹状部１２ｂとの係合が外れ、解錠状態となる。
このように、開閉操作部１９を左右の横方向のいずれの方向に押しても解錠を行なうことができ、左用、右用の２種類の商品を作ることなく、１種類で左右共用することができる。
【００４０】
次に、操作カバーを縦方向に押しても解錠できるようにした本発明の一実施態様（縦引き態様）の解錠動作について図１１に従って説明する。
図１１において、２５は、施錠用レバーであり、その下方部においてケースカバー１８に設けられた施錠用レバー用軸２６により軸支され、当該軸２６が支点となってＮ方向に施錠用レバー２５が移動されるようになっている。施錠用レバー２５の上端部は、施錠カム１２の施錠用取付け用軸１２ｃに軸支され、施錠用レバー２５の動きに応じて施錠カム１２を回動できるようになっている。また、開閉操作部１９である操作カバーは、ケースカバー１８に対し縦方向にスライドできるように、ケースカバー１８内に取り付けられている。同図において、２７は、ケースカバー１８に設けられたボス（突起部）であり、施錠用レバー２１の下方部分と当接するように設けられている。
【００４１】
図１１（Ａ）は、この実施態様の錠前金具の施錠状態を示す一部省略概略正面図であり、さがり１００が進行して（図においては下降して）、施錠カム１２の凹状部１２ｂとさがりの係合突起部１０３が係合し、施錠用レバー２２および施錠用ばね１４によって両者の係合が維持されている施錠状態を示す図面である。
この施錠状態において、操作カバーである開閉操作部１９を図１１（Ｂ）の様に、Ｎ方向（すなわち縦下方向）に動かすと、開閉操作部１９の移動に伴ってボス２７が施錠用レバー２５をＮ方向に押して、施錠用レバー２５が下方に移動し、施錠用レバー２２の移動方向に応じて施錠カム１２が右上方向に回動し、施錠カム１２の凹状部１２ｂが上方に位置するようになり、さがりの係合突起部１０３と施錠カムの凹状部１２ｂとの係合が外れ、解錠状態となる。
このように、開閉操作部１９を縦方向に押しても解錠を行なうことができ、左用、右用の２種類の商品を作ることなく、１種類で左右共用することができる。
【産業上の利用可能性】
【００４２】
本発明の錠前金具は、かばん・ケース類の蓋体に取付けたさがりをワンタッチでかばん・ケース類の筐体に差し込んで、充分な係合力を持って確実に、安定した錠前金具の自動施錠を行なうことができ、かつ筐体と蓋体とが施錠された状態において、引き寄せ効果が高く、施錠保持力も高く、筐体と蓋体との間で、がたつきが発生せず、さらに筐体とかばん蓋体との解錠が、操作つまみ、操作カバーの操作によりワンタッチで行うことができ、各種かばん類、スーツケース、トローリーバック、ブリーフケース、トランク、クーラーボックス、コンテナー、その他各種ケース類やその他各種物品を収納する筐体製品など用として最適である。
また、従来の右回転解錠用と左回転解錠用の２種類の錠前金具を別々に用意しなければならないという状況も生じ、その場合、部品点数が増え、コストアップの要因となっていたが、本発明の実施態様の錠前金具によれば、右回転解錠用と左回転解錠用の２種類の錠前金具を作ることなく、一種類で共用できるという効果があり、コスト低減に効果的である。
【符号の説明】
【００４３】
１：錠前金具、      １１：取付け基台、      １１ａ：スリット部、
１２：施錠カム、      １２ａ：施錠カム用軸、      １２ｂ：施錠カムの凹状部、
１２ｃ：施錠用レバー取付け用軸、      １２ｄ：取付け基台との係合部、
１２ｅ：施錠カムの軸孔、      １３：施錠用レバー、
１３ａ：施錠用レバーの施錠用ばねとの係止部、      １４：施錠用ばね、
１４ａ：施錠用ばねの施錠用レバーとの係止部、      １５：施錠カム用カバー、
１５ａ：施錠カム用カバーの受け入れスリット、      １６：作動カム、
１７：作動カム用ばね、      １８：ケースカバー、      １８ａ：作動カム収納部、
１９：開閉操作部、      ２０：開閉操作部用化粧カバー、
２１、２５：施錠用レバー、      ２２、２６：施錠用レバー用軸、
２３：第１のボス、      ２４：第２のボス、      ２７：ボス、
１００：さがり、      １０１：さがり用化粧カバー、      １０２：係止片、
１０３：係合突起部、      Ａ：かばん・ケース類の蓋体、
Ｂ：かばん・ケース類の筐体。
【図１】
2017227061.tif 000003
【図２】
2017227061.tif 000004
【図３】
2017227061.tif 000005
【図４】
2017227061.tif 000006
【図５】
2017227061.tif 000007
【図６】
2017227061.tif 000008
【図７】
2017227061.tif 000009
【図８】
2017227061.tif 000010
【図９】
2017227061.tif 000011
【図１０】
2017227061.tif 000012
【図１１】
2017227061.tif 000013